(57)【特許請求の範囲】
【請求項１】
被調理物を収納してバーナの燃焼熱により加熱調理するための加熱庫と、
上記加熱庫内の被調理物を載置する焼網と、
上記被調理物からの焼き脂を受けるように上記焼網の下方に設けられ、上記焼網と共に加熱庫から前後方向にスライドして出し入れされる受皿とを備えたグリルにおいて、
支点を中心に回動するとともに、上記焼網の前部および後部をそれぞれ支持する前部回動部材および後部回動部材と、
上記前部回動部材と後部回動部材とを互いに連結し、これら両回動部材を同一角度に回動させて上記焼網の載置面を水平に保つ連結部材と、
上記前部回動部材と後部回動部材との回動角を、鉛直上方向と、この鉛直上方向を基準として前方向に所要角傾斜する方向との間に規制する回動規制手段と、
上記受皿が加熱庫内に収納される場合に、上記後部回動部材に当接して、当該後部回動部材とこの後部回動部材に連結される前部回動部材を鉛直上向に支持する当接部材、
を有するリンク機構を設け、
当該リンク機構は、
上記受皿の加熱庫からの引き出時においては、上記後部回動部材と前部回動部材とを各々の自重により前方向下向きに回動させて、上記焼網を下降させ、
上記受皿を加熱庫内に収納する際にあっては、上記後部回動部材と上記当接部材とを当接させ、上記後部回動部材および後部回動部材に連結される前部回動部材を鉛直上方向に回動させて、上記焼網を上昇させるものであることを特徴とするグリル。
【請求項２】
上記リンク機構は、上記焼網の載置面が上記加熱庫入口から収納完了位置までの加熱庫内にある場合にのみ、当該焼網を上昇または下降させるものである請求項１記載のグリル。
【発明の詳細な説明】
【０００１】
【発明の属する技術分野】
本発明はグリル庫内で魚等の被調理物を加熱するガスグリルに関する。
【０００２】
【従来の技術】
従来より、燃焼装置の一つであるガステーブルこんろにおいては、魚等の被調理物を加熱調理できるグリルを備えたタイプのものがある。
こうしたグリルは、図３に示すように、被調理物を載せる焼網２０ａと、焼網２０ａを載せたまま手前にスライドさせて引き出す受皿３０と、燃料ガスを燃焼させて被調理物を加熱するバーナ４０と、これらを収める加熱庫１０から構成される。
【０００３】
被調理物を加熱庫１０に収納した場合に、焼網２０ａの位置は、加熱庫１０内の内底面から比較的に高い位置にあると、バーナ４０の近くに被調理物が置かれることになるので熱効率が良く、単時間で被調理物が加熱されるという利点がある。
【０００４】
これに対し、焼網２０ａの位置が加熱庫１０内の内底面から比較的に低い位置にあると、被調理物を載せた受皿３０を加熱庫１０から出し入れする際や、焼網２０ａ上の被調理物を裏返す際に、加熱庫１０の入口部上端に被調理物や手が接触しにくくなり、被調理物を扱い易いという利点がある。
【０００５】
【発明が解決しようとする課題】
しかしながら、焼網の位置が加熱庫内の高い位置にあると、被調理物の厚さが厚い場合には、被調理物の出し入れや返しの操作がやり難いという問題があり、一方、焼網の位置が加熱庫内の低い位置にあると、バーナから遠い位置に被調理物が置かれて熱効率が悪くなり、調理に時間がかかることになる。
そこで、本発明のガスグリルは上記課題を解決し、被調理物の厚みがあっても被調理物全体を効率よく加熱調理することができるようにすると共に、被調理物の出し入れ及び裏返しを容易にできるようにすることを目的とする。
【０００６】
【課題を解決するための手段】
上記課題を解決する本発明の請求項１記載のガスグリルは、
被調理物を収納してバーナの燃焼熱により加熱調理するための加熱庫と、
上記加熱庫内の被調理物を載置する焼網と、
上記被調理物からの焼き脂を受けるように上記焼網の下方に設けられ、上記焼網と共に加熱庫から前後方向にスライドして出し入れされる受皿とを備えたグリルにおいて、
支点を中心に回動するとともに、上記焼網の前部および後部をそれぞれ支持する前部回動部材および後部回動部材と、
上記前部回動部材と後部回動部材とを互いに連結し、これら両回動部材を同一角度に回動させて上記焼網の載置面を水平に保つ連結部材と、
上記前部回動部材と後部回動部材との回動角を、鉛直上方向と、この鉛直上方向を基準として前方向に所要角傾斜する方向との間に規制する回動規制手段と、
上記受皿が加熱庫内に収納される場合に、上記後部回動部材に当接して、当該後部回動部材とこの後部回動部材に連結される前部回動部材を鉛直上向に支持する当接部材、
を有するリンク機構を設け、
当該リンク機構は、
上記受皿の加熱庫からの引き出時においては、上記後部回動部材と前部回動部材とを各々の自重により前方向下向きに回動させて、上記焼網を下降させ、
上記受皿を加熱庫内に収納する際にあっては、上記後部回動部材と上記当接部材とを当接させ、上記後部回動部材および後部回動部材に連結される前部回動部材を鉛直上方向に回動させて、上記焼網を上昇させるものであることを要旨とする。
【０００８】
また、上記課題を解決する本発明の請求項２記載のガスグリルは、請求項１記載のガスグリルにおいて、
上記リンク機構は、上記焼網の載置面が上記加熱庫入口から収納完了位置までの加熱庫内にある場合にのみ、当該焼網を上昇または下降させるものであることを要旨とする。
【０００９】
上記構成を有する本発明の請求項１記載のガスグリルは、受皿と焼網間に設けたリンク機構により、受皿の出し入れに伴って焼網の載置面を水平に保ちながら焼網を昇降させると共に、受皿に対する焼網の相対位置を前後移動させる。
そして、受皿を引き出すと、焼網が下がって低い位置に移動すると共に、受皿よりも手前に移動する。
従って、受皿を引き出した時に焼網の載置面が低くなるので、厚みのある被調理物でも載置できる。
更に、受皿に対して焼網が手前に移動するので、被調理物の出し入れ及び裏返しを円滑に行うことができる。
また、焼網上に被調理物を載せて加熱庫内に受皿を収納すると、取り出し時に低い位置にあった焼網は、受皿の収納に伴い、被調理物全体を充分な高さまで押し上げ、受皿に対して適正位置にセットされるため、被調理物を効率よく加熱調理することができる。
【００１０】
また、リンク機構が受皿の出し入れに連動し、その当接部材が受皿の位置に応じて支点を中心に回動部材を回動させて焼網の載置面を移動する。この場合に、連結部材が前後の回動部材を連結しているため、前後一対の回動部材を同一角度に回動し、焼網の載置面を水平に保つ。
従って、受皿を引き出した位置で、焼網の載置面を手前でかつ低い位置に移動させることができる。
【００１１】
また、上記構成を有する本発明の請求項３記載のガスグリルは、焼網の載置面が加熱庫入口から収納完了位置までの加熱庫内にある場合にのみ、リンク機構が焼網を昇降する。
つまり、焼網は、収納された加熱庫内で昇降され、加熱庫入口を通過する際に昇降されない。
従って、厚みのある被調理物であっても、収納または引き出し途中に、加熱庫の入口に引っ掛かかることはない。
【００１２】
【発明の実施の形態】
以上説明した本発明の構成・作用を一層明らかにするために、以下本発明のガスグリルの好適な実施形態について説明する。
図４は、ガスグリルを備えた後方排気式のテーブルこんろの外観図を示している。
テーブルこんろは、トッププレート３に２組のこんろバーナ４ａ、４ｂが設けられ、それらの周囲に設けられたごとく５ａ、５ｂ上に調理鍋（図示せず）を載せ、テーブルこんろの前面に設けられる操作ボタン２１ａ、２１ｂを押すことによりそれぞれのこんろバーナ４ａ、４ｂが点火され、ごとく５上の調理鍋が加熱されるものである。
【００１３】
また、こんろバーナ４ａ、４ｂ間の器体の中心部に、魚等を焼くためのグリル１が設けられ、操作ボタン２１ｃを押して点火し加熱調理が行われる。
グリル１は、図１〜図２に示すように、被調理物を収納して加熱する加熱庫１０を備え、加熱庫１０内で魚等を加熱調理するものである。
加熱庫１０内には、上方左右に燃料ガスを燃焼させて被調理物を加熱する表面燃焼式のバーナ４０と、中間位置に被調理物を載せる焼網２０とが設けられ、底面に焼網２０を載せたまま手前にスライドさせて引き出すことができる受皿３０が載置されている。
この受皿３０は、被調理物から落下する焼脂を受けるための浅い皿である。
【００１４】
また、加熱庫１０の正面には、受皿３０を手前に引き出す取手１６と、受皿３０を引き出す時に連動して開閉するグリル扉１８とが設けられ、そのグリル扉１８にはガラス製の覗き窓１８ａが設けられる。
このグリル扉１８は、加熱庫１０前部の入口部に回動自在に軸支され、かつ着脱可能に取り付けられ、後述するように、受皿３０の出し入れと連動する連結レバー３５が可動自在に連結され、受皿３０を加熱庫１０から出し入れする際に、連動して開閉されるように設けられる。
【００１５】
バーナ４０は、加熱庫１０の上部左右側面に設けられ、このバーナ４０からの燃焼排ガスを加熱庫１０内にこもらせて被調理物を加熱する。
バーナ４０は、多孔質セラミックスの平面プレートに多数の小炎口を貫通させた燃焼面を有する全１次空気式のバーナ４０で、燃焼面は、垂直面に対してやや上方向に傾斜させて設置される。
【００１６】
加熱庫１０の後方には、仕切壁７１を介して並設される排気室６０が設けられ、この仕切壁７１に開口して加熱庫１０と排気室６０とを連通する連通口７０が設けられる。
この連通口７０は、開口部上端が焼網２０における被調理物の載置面より少し低い位置となるように設けられる。
また、加熱庫１０の底面には外部空気が進入できる隙間（図略）が設けられている。
【００１７】
焼網２０と受皿３０との間には、受皿３０の出し入れに伴って焼網２０の載置面を移動するリンク機構を設ける。
このリンク機構は、回動力が与えられることにより、回転支点を中心に回動する回動部と、焼網２０の載置面を水平に保ちながら焼網２０を移動する連結部と、
焼網２０の載置面が加熱庫１０入口部１０ａから収納位置までの加熱庫１０内にある場合に限り、受皿３０の位置に応じて回動部を作用させる当接部とを構成する。
【００１８】
この回動部は、受皿３０上の前後位置でそれぞれ回動する一対の焼網支持枠６、６を備え、その焼網支持枠６、６上に焼網２０が載置される。
焼網支持枠６が保持される支え板３には、受皿３０のフランジ面に当接する取付面３ｂと、板状部材を長辺方向に沿ってＬ字形に折り曲げた立設面３ａとが形成される。
この支え板３の立設面３ａには、焼網支持枠６の回動中心となる支点孔３ｄと、その下方に焼網支持枠６の回動角度を規制する円孤状の長孔３ｃとが設けられ、支え板３の取付面３ｂには、下方に向けてＬ字形の係止片３ｆが切り起こされ、これらの支点孔３ｄ、長孔３ｃ、係止片３ｆが長辺方向の前後左右にそれぞれ形成される。
一方、支え板３に対して受皿３０のフランジ面３０ａには、支え板３の係止片３ｆが嵌合する角孔３０ｂが四隅に設けられ、フランジ面３０ａの左右に各々の支え板３が向い合って組み付けされる。
また、金属棒材を「井」の字状に組み合わせて溶接した固定棒３ｇが支え板３の取付面３ｂ下面に溶接され、左右の支え板３、３を所定間隔に固定する。
【００１９】
焼網支持枠６は、金属棒材を折り曲げて形成され、支え板３の支点孔３ｄに挿入される支点軸６ａと、支点孔３ｄ下方の長孔３ｃに挿入されて長孔３ｃにより回動角度が規制される規制軸６ｂと、支点軸６ａの上方に凸状に折り曲げられて焼網２０を載せる段部６ｄを備えた受け軸６ｃとが形成される。
また、これら受け軸６ｃと規制軸６ｂとは、支点軸６ａを挟んで反対側に溶接されて一体的に焼網支持枠６が形成される。
この焼網支持枠６は、向い合う立設面３ａの左右に回動自在に保持され、支点軸６ａと規制軸６ｂの両端縁は、支え板３の左右に張り出し、支点軸６ａの先端にローラ９ａが、規制軸６ｂの先端にローラ９ｂがそれぞれ左右に回動自在に設けられる。
また、前後の焼網支持枠６、６の規制軸６ｂには、ローラ９ｂの外側に連結部である連動アーム１５がそれぞれ左右に挿通されて連結され、その外側から止め輪３８が装着されて抜け止めされる。
従って、前後の焼網支持枠６は、連動アーム１５により同じ方向および角度で回動するようにリンクされる。
【００２０】
焼網２０は、金属棒材で形成した矩形枠２０ａに、同じく多数の金属棒材２０ｂ、２０ｂ…を等間隔に溶接したものである。
この焼網２０の四隅には、焼網支持枠６の段部６ｄに摺動自在に係合する半丸状の曲げ面を形成した受け部２０ｃが形成され、受け部２０ｃが焼網支持枠６の段部６ｄの外周面に載置され、焼網２０は段部６ｄにより左右に位置決めされると共に、受け部２０ｃの係合により前後に位置決めされる。
【００２１】
加熱庫１０の奥側の左右両壁面には、底面中間位置から後方壁面に向けて受皿３０の進退方向に延びる長溝孔８が設けられる。
左右の軸７の端部には、鍔部をもったローラ９ｃ、９ｄがこの長溝孔８内の前後に遊挿され、ローラ９ｃ、９ｄは、この長溝孔８内を回転して進退動自在に移動できるように設けられる。
また、軸７は、加熱庫１０内を横切り、加熱庫１０の両外側にグリル扉１８を開閉する左右の連結レバー３５に回動自在に連結され、受皿３０が加熱庫１０に収納されるとローラ９ｃ、９ｄが受皿３０の下側になるように設けられる。
この軸７の中央付近には上側に凸状に曲げ形成される当接部７ａが設けられ、この当接部７ａは、受皿３０が押し込まれると、受皿３０の上方から焼網支持枠６の規制軸６ｂに当接する位置関係に設けられる。
軸７の両端部には、ローラ９ｃ、９ｄの外側にバネ力を連結レバー３５に伝えるバネ取付３６が挿通し、その外側に連結レバー３５の端部が挿通して止め輪３８にて抜け止めされる。
また、加熱庫１０の前側外部にバネ掛部１２が設けられ、一端をこのバネ掛部１２に止着され他端をバネ取付３６に係止される引っ張りバネ１３が設けられ、引っ張りバネ１３は、軸７を介して、受皿３０を前進方向へ押し出し付勢する。
尚、引っ張りバネ１３の力は、後述するように、グリル扉１８を開くのに充分な力で、その付勢力だけで焼網支持枠６を回動できないように設定される。
【００２２】
また、加熱庫１０の入口部寄りの底面には、受皿３０の底面に設ける皿段部３１に当接してその受皿３０の前進動（引出し方向）を規制する手前係止部３２が設けられ、受皿３０は加熱庫１０から最大引出された状態でこの手前係止部３２に係止される。
尚、受皿３０は、加熱庫１０の左右両壁面に設けられるガイド部（図略）により左右両端部が受け止めされて進退自在に装着される。
また、この受皿３０を加熱庫１０から取り外す場合には、取手１６をつかんで上に持ち上げ、皿段部３１を手前係止部３２から外して取り外す。
【００２３】
また、加熱庫１０の奥寄りの底面には、受皿３０の底面の皿段部３１に当接してその受皿３０の前進動を規制する弾発性ある板バネ１４が、一端をその外底面に止着された状態で底面の切欠穴より出没可能に設けられる。
この板バネ１４は、受皿３０を加熱庫１０に収納させた状態で、受皿３０が不用意に加熱庫１０より飛び出すことがないように、受皿３０の皿段部３１を係止する。
【００２４】
次に、このようなグリル１における受皿３０の収納、引き出し動作を説明する。
取手１６をつかんで受皿３０を加熱庫１０より引き出すと、受皿３０の皿段部３１が加熱庫１０の板バネ１４から外れて引き出され、受皿３０が加熱庫１０底面をスライドして載置された焼網２０が同時に引き出される。
この場合に、焼網支持枠６は、焼網２０や被調理物の重力により、図面の反時計回りの方向に付勢されており、受皿３０の引き出しにつれて、軸７の規制軸６ｂの後方当接部７ｂが加熱庫１０後部１０ａに当接したまま、焼網支持枠６の支点軸６ａが受皿３０とともに前方に移動し、この支点軸６ａを中心にして規制軸６ｂが長孔３ｃに規制される角度まで図面の時計回りの方向に回動し、焼網２０を載せた段部６ｄを受皿３０の真上から斜め前方まで移動する。
この場合に、連動アーム１５は前後の焼網支持枠６をリンクしているため、焼網２０の載置面は、水平に保たれながら手前に移動して低くなる。
更に、受皿３０を引き出すと、連結レバー３５に働く引っ張りバネ１３の付勢力により、軸７の当接部７ａが焼網支持枠６の規制軸６ｂに当接したまま、ローラ９ｃ、９ｄが長溝孔８内を前進し、軸７の後方当接部７ｂが加熱庫１０後部１０ａから離れる。
同時に、連結レバー３５の前進動によりグリル扉１８は押され、掛止ピン１８ｃを支点として図１の（イ）から（ロ）のように回動して開けられ、受皿３０のスライド途中で全開し、加熱庫１０の前部入口部上方に回動して収納される。
グリル扉１８が全開になると、受皿３０を引き出すにつれて軸７の当接部７ａが焼網支持枠６の規制軸６ｂから離れ、受皿３０は、加熱庫１０の手前係止部３２に受皿３０の皿段部３１を係止する位置まで焼網２０と共に一体的に引き出される。
【００２５】
一方、今度は逆に、受皿３０を引き出した状態から取手１６を押し込むと、まず、受皿３０が後方にスライドして焼網支持枠６の規制軸６ｂが加熱庫１０の後方寄り位置で軸７の当接部７ａに当接する。更にこのまま、加熱庫１０の奥方向に受皿３０を押し込むと、軸７を介した押し込み力により、引っ張りバネ１３の付勢力に抗しながら受皿３０と共に連結レバー３５が後退する。
このために、グリル扉１８は掛止ピン１８ｃを支点として、今度は図１の（ロ）から（イ）の方向に回動する。
また、軸７の後方当接部７ｂが加熱庫１０後部１０ａに当接する位置で、グリル扉１８は加熱庫１０の入口部を閉じる。
更に、受皿３０が加熱庫１０内へ送入されていくにつれて、加熱庫１０後部１０ａに当接している軸７を介して押し込み力により、その当接部７ａが規制軸６ｂを押し、押し込み力が焼網支持枠６への回動力となり、焼網支持枠６の支点軸６ａを中心に規制軸６ｂを時計回りの方向に回動し、その段部６ｄが斜め前方から支点軸６ａのほぼ真上になる位置まで回動する。
このように焼網２０は、受皿３０が加熱庫１０内に収納される時に、載置面が加熱庫１０の入口部１０ａを通過してから加熱庫１０の後方寄り位置まで押し込まれると、受皿３０に対して焼網２０の載置面が水平に保たれながら後方に移動しつつ加熱庫１０の上方に移動される。
そして、段部６ｄに載置された焼網２０が上方に移動されると同時に、受皿３０の皿段部３１が加熱庫１０の板バネ１４に係止され、受皿３０を加熱庫１０内に納めた状態が保持される。
【００２６】
次に、加熱調理について説明する。
燃焼中には、高温の燃焼排ガスが加熱庫１０上部にたまり、加熱庫１０後方の連通口７０へあふれてから、ドラフト効果により排気室６０内を上昇する。
この場合に、連通口７０の開口部上端より少し高い位置となる焼網２０の載置面に置かれた被調理物は、加熱庫１０上部に充満する高温の燃焼排ガスの対流に包まれる燃焼熱によって、隅々まで加熱されて良好に調理される。
つまり、被調理物は、焼網２０を昇降するリンク機構により、加熱庫の上方に熱気がこもる高温帯内に保持されるので効率よく加熱調理される。
【００２７】
以上説明したように、本実施形態のガスグリルによれば、引き出される受皿３０に対して焼網２０が更に前方に移動しつつ焼網２０の載置面が低くなるので、被調理物の出し入れおよび返しが容易になる、
例えば、図１と従来例を示す図３とを比較すると、グリル扉１８からの引き出し長さがＬ２→Ｌ１、入口部１０ａ上端までの高さがＨ２→Ｈ１と大きくなるので、被調理物の出し入れおよび返しが容易になる。
【００２８】
また、焼網２０上に被調理物を載せて加熱庫１０内に受皿３０を収納すると、取り出し時には低い位置にあった焼網２０は、受皿３０が収納されると、被調理物全体が加熱庫１０の上部側に形成された高温帯に入るのに充分な高さまで押し上げられるため、厚みのある被調理物でも被調理物を効率よく加熱調理することができる。特に、丸干し等、水分の少ない被調理物の場合には、加熱庫１０内の熱気で充分加熱され、加熱調理の途中で被調理物を裏返す必要がない。
しかも、受皿３０に溜まった焼脂が過熱して発火することがないので、受皿３０に水を張る必要がなくなり、グリル１の取り扱いが極めて簡便となる。
【００２９】
しかも、受皿３０の収納完了直前または引き出し直後の位置、即ち、受皿３０が加熱庫１０の奥位置にある場合に、焼網２０が昇降して所定位置に保持されるので、厚みのある被調理物であっても加熱庫１０の入口部１０ａに引っ掛かることなく、受皿３０の出し入れを円滑に行うことができる。
【００３０】
また、焼網支持枠６、６を組み込んだ状態で、左右の支え板３が固定棒３ｇにより一体に固定されるので、焼網支持枠６、６と支え板３、３とがバラバラにならず、掃除後の再組み込みが容易になる。
【００３１】
以上、本発明の実施形態について説明したが、本発明はこうした実施形態に何等限定されるものではなく、本発明の趣旨を逸脱しない範囲において、種々なる態様で実施し得ることは勿論である。
例えば、バーナ４０は、被調理物を裏返す必要のない両面焼用のバーナであっても良い。あるいは、他の燃焼方式のバーナであっても良い。
【００３２】
また、熱気を加熱庫１０にこもらせて加熱調理するのではなく、バーナの輻射熱により直接に被調理物を加熱調理するグリルであっても良い。
【００３３】
また、支え板３は、必ずしも板状部材を用いる必要はないが、板状部材を用いると、被調理物から出る焼脂が受皿３０に滴下した時に、焼脂が左右に飛び散るのを防ぐ飛散ガードとしても機能するので、加熱庫１０内が汚れ難くなるという利点がある。
【００３４】
また、規制軸６ｂに当接する軸７と連結レバー３５とを連結しないで、受皿３０を押し込み時に、規制軸６ｂに当接して焼網支持枠６を時計方向に回動する当接部を加熱庫１０から直接に設けても良い。
【００３５】
また、受皿３０収納時に、焼網支持枠６の受け軸６ｃを支点軸６ａの真上より少し前方方向に配置し、重力による反時計方向への回動力を確実に確保するようにしても良く、焼網支持枠６をバネにより反時計方向に付勢しても良い。
あるいは、押し込み時に規制軸６ｂに係止し、引き出し時に規制軸６ｂに係止したまま引き出し力により規制軸６ｂを反時計方向に回動させ、所定角度まで回動するとその係止を解除する別部品を設けても良い。
【００３６】
【発明の効果】
以上詳述したように、本発明の請求項１記載のガスグリルによれば、受皿を引き出した時に、受皿に対して焼網が手前に移動して載置面が低くなるので、厚みのある被被調理物でも出し入れ及び裏返しを円滑に行うことができるという優れた効果を奏する。
また、加熱庫内にバーナの燃焼排気をこもらせて加熱調理するグリルに適用した場合には、被調理物全体が高温帯に入るのに充分な高さに被調理物を保持して被調理物全体を効率よく加熱調理できる。
【００３７】
また、受皿を引き出した位置で、焼網の載置面を手前でかつ低い位置に移動させるリンク機構をシンプルな構成で設けることができる。
【００３８】
また、本発明の請求項３記載のガスグリルによれば、焼網が収納された加熱庫内で昇降され、加熱庫入口を通過する際に昇降されないので、厚みのある被調理物であっても、出し入れの途中で加熱庫入口に引っ掛からず、出し入れをより円滑に行うことができる。
【図面の簡単な説明】
【図１】本発明の実施形態に係るガスグリルの概略図である。
【図２】第１実施形態としての分解斜視図である。
【図３】従来のガスグリルの概略図である。
【図４】ガスグリルの外観図である。
【符号の説明】
昇降装置            ２
焼網支持枠          ６
軸                  ７
長溝孔              ８
ローラ              ９
加熱庫            １０
連動アーム        １５
取手              １６
グリル扉          １８
焼網              ２０
受皿              ３０
皿段部            ３１
手前係止部        ３２
バーナ            ４０
【図１】
0004034446.tif 000002
【図２】
0004034446.tif 000003
【図３】
0004034446.tif 000004
【図４】
0004034446.tif 000005